(57)【要約】【課題】  車両の現在位置に対応して、ユーザ所望の映像または音声を再生できるようにする。【解決手段】  ディスク型記録媒体１１に記録された音声ファイルを読み出して再生する車載オーディオ装置１０において、車載オーディオ装置１０を搭載した位置と、当該位置において再生する音声ファイルのファイル名とを含む再生方法指定データを取得し、位置情報検出部１１０によって車両の現在位置を検出し、検出した現在位置に対応する再生方法指定データがある場合には、その再生方法指定データに含まれるファイル名に対応する音声ファイルを読み出して再生する。【選択図】      図１
2006276334.tif 000002
【特許請求の範囲】
【請求項１】
車両に搭載され、映像データまたは音声データを含むマルチメディアファイルが記録された記録媒体から、前記マルチメディアファイルを読み出して再生する車載データ再生装置において、
前記記録媒体に記録されたマルチメディアファイルのファイル名と、特定の位置を示す位置情報とを含む再生情報を取得する再生情報取得手段と、
前記車両の現在位置を検出する位置検出手段と、を備え、
前記記録媒体から前記マルチメディアファイルを読み出して再生するとともに、前記位置検出手段により検出された位置に対応する位置情報を含む前記再生情報がある場合には、既に再生中の前記マルチメディアファイルの再生を停止して、当該再生情報に含まれるファイル名に対応するマルチメディアファイルを再生すること、
を特徴とする車載データ再生装置。
【請求項２】
前記再生情報取得手段は、前記記録媒体に前記マルチメディアファイルとともに当該記録媒体に記録された前記マルチメディアファイルのファイル名と位置情報とを含む前記再生情報が記録されている場合に、この再生情報を読み出すことを特徴とする請求項１記載の車載データ再生装置。
【請求項３】
所定の鍵情報が入力される入力部をさらに備え、
前記記録媒体に、暗号化された前記マルチメディアファイルと前記再生情報とが記録されている場合に、これら前記マルチメディアファイルと前記再生情報とを読み出して、前記入力部により入力された鍵情報を用いて復号することを特徴とする請求項２記載の車載データ再生装置。
【請求項４】
前記再生情報取得手段は、前記記録媒体とは別体として構成される可搬型記録媒体に記録された前記再生情報を取得することを特徴とする請求項１記載の車載データ再生装置。
【請求項５】
前記再生情報が、一つの位置を示す位置情報と複数の前記マルチメディアファイルのファイル名とを含んでいる場合には、これら複数のファイル名に対応する前記マルチメディアファイルを順次再生することを特徴とする請求項１から４のいずれかに記載の車載データ再生装置。
【請求項６】
前記再生情報に含まれるファイル名に対応する前記マルチメディアファイルを再生した後に、前記位置検出手段によって前回検出された位置と同じ位置が検出された場合には、その位置に対応する位置情報に基づく前記マルチメディアファイルの再生を行わないことを特徴とする請求項１から５のいずれかに記載の車載データ再生装置。
【請求項７】
車両に搭載される車載データ再生装置によって、映像データまたは音声データを含むマルチメディアファイルが記録された記録媒体から前記マルチメディアファイルを読み出して再生するデータ再生方法であって、
前記記録媒体に記録されたマルチメディアファイルのファイル名と、特定の位置を示す位置情報とを含む再生情報を取得し、
前記車両の現在位置を検出し、
前記記録媒体から前記マルチメディアファイルを読み出して再生するとともに、検出された前記車両の現在位置に対応する位置情報を含む前記再生情報がある場合には、既に再生中の前記マルチメディアファイルの再生を停止して、当該再生情報に含まれるファイル名に対応するマルチメディアファイルを再生すること、
を特徴とするデータ再生方法。
【発明の詳細な説明】
【技術分野】
【０００１】
本発明は、車両に搭載される車載データ再生装置、および、この車載データ再生装置におけるデータ再生方法に関する。
【背景技術】
【０００２】
従来、車両に搭載されるナビゲーション装置において、地図や経路案内の画面とともに、車両の現在位置に応じて映像を出力するものがあった（例えば、特許文献１参照。）。
【特許文献１】特開平８−１８０５９３号公報
【発明の開示】
【発明が解決しようとする課題】
【０００３】
上述したように車両の現在位置に応じて映像を出力する際には、車両の位置に応じて処理される地図データと、この地図データに埋め込まれた情報に基づいて読み出される映像データとが別のＣＤ−ＲＯＭに記録され、これらＣＤ−ＲＯＭは各々対応する一組のものとして提供される必要がある。すなわち、ナビゲーション機能において利用する地図データと、車両の位置に応じて出力される映像等のデータとが、いずれも、上記ナビゲーション装置のために用意された専用のものとなっていた。このため、上記機能を利用しようとするユーザは専用のデータを購入しなければならず、データが高価な上に映像等の選択肢が少ないという問題があった。
【０００４】
本発明は、上述した事情に鑑みてなされたものであり、映像または音声を再生する車載データ再生装置において、車両の現在位置に対応して映像または音声を再生する機能を備え、この機能によりユーザが所望の映像または音声を再生できるようにすることを目的としている。
【課題を解決するための手段】
【０００５】
上記課題を解決するため、本発明は、車両に搭載され、映像データまたは音声データを含むマルチメディアファイルが記録された記録媒体から、前記マルチメディアファイルを読み出して再生する車載データ再生装置において、前記記録媒体に記録されたマルチメディアファイルのファイル名と、特定の位置を示す位置情報とを含む再生情報を取得する再生情報取得手段と、前記車両の現在位置を検出する位置検出手段と、を備え、前記記録媒体から前記マルチメディアファイルを読み出して再生するとともに、前記位置検出手段により検出された位置に対応する位置情報を含む前記再生情報がある場合には、既に再生中の前記マルチメディアファイルの再生を停止して、当該再生情報に含まれるファイル名に対応するマルチメディアファイルを再生することを特徴としている。
【０００６】
本発明において、前記再生情報取得手段は、前記記録媒体に前記マルチメディアファイルとともに当該記録媒体に記録された前記マルチメディアファイルのファイル名と位置情報とを含む前記再生情報が記録されている場合に、この再生情報を読み出すものとしてもよい。
【０００７】
また、本発明において、所定の鍵情報が入力される入力部をさらに備え、前記記録媒体に、暗号化された前記マルチメディアファイルと前記再生情報とが記録されている場合に、これら前記マルチメディアファイルと前記再生情報とを読み出して、前記入力部により入力された鍵情報を用いて復号する構成としてもよい。
【０００８】
さらに、本発明において、前記再生情報取得手段は、前記記録媒体とは別体として構成される可搬型記録媒体に記録された前記再生情報を取得するものとしてもよい。
【０００９】
さらにまた、本発明において、前記再生情報が、一つの位置を示す位置情報と複数の前記マルチメディアファイルのファイル名とを含んでいる場合には、これら複数のファイル名に対応する前記マルチメディアファイルを順次再生するようにしてもよい。
【００１０】
また、本発明において、前記再生情報に含まれるファイル名に対応する前記マルチメディアファイルを再生した後に、前記位置検出手段によって前回検出された位置と同じ位置が検出された場合には、その位置に対応する位置情報に基づく前記マルチメディアファイルの再生を行わないようにしてもよい。
【００１１】
本発明のデータ再生方法は、車両に搭載される車載データ再生装置によって、映像データまたは音声データを含むマルチメディアファイルが記録された記録媒体から前記マルチメディアファイルを読み出して再生するデータ再生方法であって、前記記録媒体に記録されたマルチメディアファイルのファイル名と、特定の位置を示す位置情報とを含む再生情報を取得し、前記車両の現在位置を検出し、前記記録媒体から前記マルチメディアファイルを読み出して再生するとともに、検出された前記車両の現在位置に対応する位置情報を含む前記再生情報がある場合には、既に再生中の前記マルチメディアファイルの再生を停止して、当該再生情報に含まれるファイル名に対応するマルチメディアファイルを再生することを特徴としている。
【発明の効果】
【００１２】
本発明によれば、記録媒体からマルチメディアファイルを読み出して再生しつつ、車両の現在位置に対応する位置情報を含む再生情報がある場合に、既に再生中のマルチメディアファイルの再生を停止して、当該再生情報に含まれるファイル名に対応するマルチメディアファイルの再生を行うので、特定の位置において特定のマルチメディアファイルを再生させることが可能となる。ここで位置およびマルチメディアファイルを決定する再生情報は、位置を示す位置情報とファイル名とを含む情報であって、ユーザが自分で作成することも可能である。従って、広く一般に流通する映像データや音楽データを含むマルチメディアファイルと再生情報とを用意すれば、ユーザが任意の位置において任意のマルチメディアファイルを再生させることができる。
【発明を実施するための最良の形態】
【００１３】
［第１の実施の形態］
図１は、本発明を適用した第１の実施の形態に係る車載オーディオ装置１０の機能的構成を示すブロック図である。
本発明の車載データ再生装置としての車載オーディオ装置１０は、本発明の記録媒体としてのディスク型記録媒体１１に記録された音声ファイルを読み取り、読み取った音声ファイルに含まれるデータに基づいて音声を再生出力する。また、車載オーディオ装置１０は、車載オーディオ装置１０を搭載した車両の現在位置が、予め設定された位置に到達した場合には、その位置に対応づけられた別の音声ファイルを読み取って、音声を再生出力する機能を有する。
【００１４】
なお、車載オーディオ装置１０においては、光学的、磁気的記録媒体若しくは半導体記憶素子（フラッシュメモリ等）を用いた記録媒体を用いることが可能であるが、ここでは一例として、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ等のディスク型記録媒体１１を用いる場合について説明する。
【００１５】
車載オーディオ装置１０は、図１に示すように、車載オーディオ装置１０の各部を制御するシステム制御部１０１、ディスク型記録媒体１１を駆動再生するメディア駆動部１０２、メディア駆動部１０２の動作を制御する再生制御部１０３、再生制御部１０３により読み取られたファイルを取得するファイル取得部１０４、ファイル取得部１０４により取得されたファイルのうち音声ファイルを取得する音響情報取得部１０５、音響情報取得部１０５により取得された音声ファイルに基づいて音声を出力する音響情報再生部１０６、ファイル取得部１０４により取得されたファイルの中から再生方法ファイルを取得する再生方法ファイル取得部１０７、再生方法ファイル取得部１０７により取得された再生方法ファイルを一時的に記憶する再生方法ファイル一時記憶部１０８、再生方法ファイル一時記憶部１０８に記憶された再生方法ファイルを解析する再生方法ファイル解析部１０９、車載オーディオ装置１０が搭載された車両の現在位置を検出する位置情報検出部１１０、および、ユーザの操作を検出して再生モードを取得する再生モード取得部１１１を備える。
【００１６】
システム制御部１０１は、再生制御部１０３を制御することにより、メディア駆動部１０２におけるピックアップ移動制御、レーザー出力制御、サーボ制御等を実行させ、メディア駆動部１０２によってディスク型記録媒体１１に記録されたファイルを読み取らせる。
ここで、ディスク型記録媒体１１に記録されるファイルについて説明する。
【００１７】
図２は、ディスク型記録媒体１１に記録される音声ファイルの構成を模式的に示す図である。図２に示すように、ディスク型記録媒体１１には１または複数のディレクトリ２１が設定され、各ディレクトリ２１の下に１または複数の音声ファイル２３が格納される。本発明のマルチメディアファイルとしての音声ファイル２３には、音楽（楽曲）の音声データを含む音楽ファイル２５と、各種案内音声の音声データを含むガイド音声ファイル２７とがあり、各々異なるディレクトリ２１の下に格納されている。これらの音声ファイル２３に含まれる音声データは、ＷＭＡ（Windows（登録商標） Media Audio）形式やＭＰ３（MPEG Audio Layer-3）形式で圧縮された音声データ、或いは、非圧縮の音声データである。
なお、図２はあくまで論理的な構成を示し、ディスク型記録媒体１１の記録領域がディレクトリ２１に対応して物理的に区分される必要はない。
【００１８】
なお、ディスク型記録媒体１１には、音声ファイル２３に限らず、映像データを含むファイルを記録しておくことも可能であり、車載オーディオ装置１０において、映像を表示する表示画面（図示略）を設けて、ディスク型記録媒体１１に記録された映像データを再生出力する構成とすることも勿論可能である。本第１の実施の形態においては、あくまで一例として、音声ファイル２３が記録されたディスク型記録媒体１１を用いて、車載オーディオ装置１０によって音声を再生出力する場合について説明する。
【００１９】
また、ディスク型記録媒体１１には、図３に示す再生方法ファイル１２が記録される。再生方法ファイル１２は、図３（ａ）に例示するように複数行（最小の構成では１行）からなる改行付きテキストファイルであって、音声ファイル２３等の他のファイルとの区別を容易にするため、拡張子として、例えば「pos」等の独自のものが付与されている。
そして、再生方法指定データ１２１の各行のテキストデータは、各々独立した再生方法指定データ１２１となっている。
【００２０】
本発明の再生情報としての再生方法指定データ１２１は、車載オーディオ装置１０を搭載した車両の位置と、その位置で再生する音声ファイル２３とを対応づけるデータであって、図３（ｂ）に例示するように、位置情報としての緯度指定部１２３および経度指定部１２５と、ファイル指定部１２７とによって構成される。
【００２１】
緯度指定部１２３は、再生方法指定データ１２１の先頭に位置し、上記車両の位置の緯度を指定する。図３（ｂ）の例で、緯度指定部１２３は９桁のデータ「N32＿34＿9」となっており、これは「北緯３２度３４分９秒」を示す。
【００２２】
経度指定部１２５は、再生方法指定データ１２１において緯度指定部１２３に続く位置にあり、上記車両の位置の経度を指定する。図３（ｂ）の例では、経度指定部１２５は９桁のデータ「E131＿39＿4」となっており、これは「東経１３１度３９分４秒」を示す。
【００２３】
ファイル指定部１２７は、再生方法指定データ１２１の末尾に位置し、緯度指定部１２３および経度指定部１２５により指定される位置に対応する音声ファイル２３のパス（ディレクトリ名）およびファイル名を指定するデータである。図３（ｂ）の例では、ファイル指定部１２７は「\pop\music1.wma」となっている。このファイル指定部１２７により、図２に示すディレクトリ２１「pop」に含まれる音楽ファイル２５「music1.wma」が指定される。
つまり、図３（ｂ）に例示する再生方法指定データ１２１は、「北緯３２度３４分９秒、東経１３１度３９分４秒」の位置と、「\pop\music1.wma」の音声ファイル２３とを対応づけるデータである。
【００２４】
このようにディスク型記録媒体１１に記録されたファイルを、メディア駆動部１０２は、再生制御部１０３の制御の下に読み取って、ファイル取得部１０４に対してファイル毎に出力する。
再生制御部１０３は、システム制御部１０１の制御の下、メディア駆動部１０２を制御して、ディスク型記録媒体１１に記録された全てのファイルの読み取りを実行させ、或いは、ディスク型記録媒体１１に記録されたファイルのうち特定のファイルを指定して読み取らせる。
ファイル取得部１０４は、メディア駆動部１０２から入力されるファイルが音声ファイルであるか再生方法ファイル１２であるかを判別し、音声ファイル２３は音響情報取得部１０５に出力し、再生方法ファイル１２は再生方法ファイル取得部１０７に出力する。
【００２５】
音響情報取得部１０５は、ファイル取得部１０４から入力された音声ファイル２３を音響情報再生部１０６に出力する。音響情報再生部１０６は、音響情報取得部１０５から入力された音声ファイル２３中の音声データについてデコードおよびＤ／Ａ変換等の処理を行って音声信号を生成し、この音声信号を適宜増幅して、図示しないスピーカへ出力する。これにより、車載オーディオ装置１０とともに車両に搭載されたスピーカ（図示略）から音声が出力される。
【００２６】
また、本発明の再生情報取得手段としての再生方法ファイル取得部１０７は、ファイル取得部１０４から入力された再生方法ファイル１２を再生方法ファイル一時記憶部１０８に出力する。再生方法ファイル一時記憶部１０８は、半導体記憶素子（ＤＲＡＭ等）により構成される記憶領域を有し、この記憶領域において、入力された再生方法ファイル１２を一時的に記憶する。
再生方法ファイル解析部１０９は、再生方法ファイル一時記憶部１０８に記憶された再生方法ファイル１２を解析し、再生方法ファイル１２に含まれる情報をシステム制御部１０１に出力する。
【００２７】
本発明の位置検出手段としての位置情報検出部１１０は、例えばＧＰＳ（Global Positioning System）受信機やジャイロセンサ等を備え、車載オーディオ装置１０を搭載した車両の現在位置を所定時間毎に検出し、検出した現在位置をシステム制御部１０１に出力する。
【００２８】
再生モード取得部１１１は、車載オーディオ装置１０を搭載した車両に搭乗中のユーザが操作する操作部であって、ユーザによる操作に応じてシステム制御部１０１に操作信号を出力する。この再生モード取得部１１１の操作により、車載オーディオ装置１０において現在位置に基づく音声の再生を行う位置情報利用モードの動作をさせるか、或いは、通常の音楽再生を行わせるかを指定できる。
【００２９】
そして、システム制御部１０１は、再生モード取得部１１１の操作従って、位置情報検出部１１０から入力される現在位置を取得する一方、再生方法ファイル解析部１０９により再生方法ファイル１２を解析した結果に基づいて、以下に説明するように、車載オーディオ装置１０を搭載した車両の現在位置に基づく音声ファイル２３の再生を行う。
【００３０】
図４は、車載オーディオ装置１０の動作を示すフローチャートである。
メディア駆動部１０２にディスク型記録媒体１１がセットされると（ステップＳ１１）、システム制御部１０１は、再生制御部１０３を制御して、メディア駆動部１０２およびファイル取得部１０４によってディスク型記録媒体１１に記録された全てのファイルの検出を行わせる（ステップＳ１２）。ここでファイルを検出する動作においては、メディア駆動部１０２によってディスク型記録媒体１１の全記録領域がスキャンされ、ファイル取得部１０４によって全てのファイルが読み出され、例えば各ファイルの拡張子に基づいて再生方法ファイル１２と音声ファイル２３とが区別され、再生方法ファイル１２が再生方法ファイル取得部１０７を経て再生方法ファイル一時記憶部１０８に記憶される。
【００３１】
そして、システム制御部１０１は、ディスク型記録媒体１１に再生方法ファイル１２が記録されているか否かを判別し（ステップＳ１３）、再生方法ファイル１２が記録されていない場合（ステップＳ１３；Ｎｏ）、通常のファイル再生動作を実行する（ステップＳ１４）。通常のファイル再生動作とは、ディスク型記録媒体１１に記録された音声ファイル２３の全部、または、音声ファイル２３のうち音楽ファイル２５のみを、ファイル名の順またはディスク型記録媒体１１における格納順等の所定の順序に従って再生する動作である。この通常のファイル再生動作の開始後、システム制御部１０１は、再生対象の全ファイルの再生が終了したか終了したか否かを判別し（ステップＳ１５）、全ファイルの再生が終了した場合に（ステップＳ１５；Ｙｅｓ）、本処理を終了する。
【００３２】
一方、ディスク型記録媒体１１に再生方法ファイル１２が記録されている場合（ステップＳ１３；Ｙｅｓ）、システム制御部１０１は、再生方法ファイル１２が記録されている旨をユーザに通知し、ユーザが再生モード取得部１１１を操作して入力した指示に基づいて位置情報利用モードの動作を行うか否かを判別する（ステップＳ１６）。
ここで、位置情報利用モードの動作を行わない場合（ステップＳ１７；Ｎｏ）、システム制御部１０１はステップＳ１４に移行して通常のファイル再生動作を実行する。
【００３３】
また、位置情報利用モードの動作を行う場合（ステップＳ１７；Ｙｅｓ）、システム制御部１０１は、上記した通常のファイル再生動作を開始するとともに（ステップＳ１８）、所定の時間毎に位置情報検出部１１０から入力される位置情報を取得する（ステップＳ１９）。そして、システム制御部１０１は、取得した位置情報に基づいて、再生方法ファイル一時記憶部１０８に記憶された再生方法ファイル１２を再生方法ファイル解析部１０９により解析させる（ステップＳ２０）。
【００３４】
ここで、システム制御部１０１は、再生方法ファイル一時記憶部１０８に記憶された再生方法ファイル１２の中に、ステップＳ１８で取得した現在位置に該当する再生方法指定データ１２１を含む再生方法ファイル１２が有るか否かを判別し（ステップＳ２１）、該当する再生方法ファイル１２が無ければ（ステップＳ２１；Ｎｏ）、ステップＳ１８の動作に戻る。
また、現在位置に該当する再生方法指定データ１２１を含む再生方法ファイル１２があった場合（ステップＳ２１；Ｙｅｓ）、システム制御部１０１は、その再生方法ファイル１２から現在位置に対応する再生方法指定データ１２１を抽出し、この再生方法指定データ１２１のファイル指定部１２７により指定される音声ファイル２３をディスク型記録媒体１１から読み出させ、再生中の音声ファイル２３の再生を停止させた後、新たに読み出した音声ファイル２３の再生を開始させる（ステップＳ２２）。詳細には、システム制御部１０１は再生制御部１０３に対して再生する音声ファイル２３のパスおよびファイル名を指定し、再生制御部１０３は、指定されたパスおよびファイル名に基づいてメディア駆動部１０２およびファイル取得部１０４を制御して、該当する音声ファイル２３を読み出させ、音響情報取得部１０５に出力させる。音響情報取得部１０５は、ファイル取得部１０４から入力された音声ファイル２３を取得して音響情報再生部１０６に出力し、音響情報再生部１０６から音声が出力される。これにより、再生中の音声ファイル２３に基づく音声出力が停止され、代わって、再生方法指定データ１２１により指定された音声ファイル２３が再生される。
【００３５】
その後、システム制御部１０１は、音声ファイル２３の再生が終了するまで待機し（ステップＳ２３）、再生が終了した場合にはステップＳ１３の動作に戻る。
【００３６】
なお、ステップＳ２３において音声ファイル２３の再生が終了した時点で、車載オーディオ装置１０を搭載した車両の位置が、ステップＳ１９で位置情報を取得した時点から殆ど変化していない場合がある。これは、位置情報検出部１１０の分解能の限界から、緯度指定部１２３および経度指定部１２５により指定される位置が特定の一点だけでなくその周辺をも含んでしまうことによる。この場合、システム制御部１０１の動作がステップＳ２３からステップＳ１８の動作に戻ることで、再び同じ音声ファイル２３の再生が開始される可能性がある。本第１の実施の形態では、システム制御部１０１は、同じ音声ファイル２３を繰り返し再生しないよう設定されている。すなわち、車両の現在位置に対応する再生方法指定データ１２１により指定される音声ファイル２３を再生した後で、車両の現在位置に対応する再生方法指定データ１２１が同じものであった場合、システム制御部１０１は、その再生方法指定データ１２１に基づく音声ファイル２３の再生を行わない。これにより、同じ音声ファイル２３が何度も再生されないようにしている。
【００３７】
また、再生モード取得部１１１または図示しない入力操作部における操作により、ディスク型記録媒体１１の排出が指示された場合には、システム制御部１０１は全動作を終了してメディア駆動部１０２からディスク型記録媒体１１を排出させる。
【００３８】
以上のように、本発明を適用した第１の実施の形態に係る車載オーディオ装置１０によれば、位置情報利用モードにおいて、ディスク型記録媒体１１に記録された音声ファイル２３を読み出して通常の再生動作を実行するとともに、ディスク型記録媒体１１に記録された再生方法ファイル１２を取得して、再生方法ファイル１２中の再生方法指定データ１２１を解析し、位置情報検出部１１０により車載オーディオ装置１０を搭載した車両の位置を検出し、検出した位置に対応する再生方法指定データ１２１があった場合に、その再生方法指定データ１２１に含まれるファイル名に対応する音声ファイル２３を読み出して、既に再生中の音声ファイル２３の再生を停止した上で新たに読み出した音声ファイル２３を再生するので、再生方法指定データ１２１に含まれる情報により指定された位置において、所望の音声を再生させることができる。また、通常の再生動作において再生中の音声ファイル２３の再生を停止して、再生方法指定データ１２１に従って音声ファイル２３を再生するので、再生方法指定データ１２１に基づく再生を開始するタイミングを逃さず、車両の位置に応じて的確に音声を再生できる。
【００３９】
さらに、再生方法指定データ１２１は、車両の位置を示す情報と音声ファイル２３のファイル名とを対応づける情報であり、例えば改行付きのテキストファイルにより構成され、車載オーディオ装置１０を搭載した車両の位置（緯度および経度）と音声ファイル２３のパスおよびファイル名とを簡易な書式により記述したものである。さらに、ディスク型記録媒体１１に記録される音声ファイル２３は、音楽やガイド音声の音声データを、例えば周知の方法により圧縮（エンコード）したものである。従って、ユーザが音声データを加工して音声ファイル２３としてディスク型記録媒体１１に記録し、さらに、再生方法ファイル１２を作成および編集してディスク型記録媒体１１に記録することが可能である。つまり、ユーザが自分で所望の音声を任意の場所で再生させることができる。
【００４０】
さらに、車載オーディオ装置１０においては、ディスク型記録媒体１１に記録された音声ファイル２３と、再生方法ファイル１２とがあれば、上記機能を実現することが可能であるから、他の装置（例えば、パーソナルコンピュータや携帯型オーディオ機器等）においても使用可能な汎用の音声ファイル２３に、再生方法ファイル１２を加えて用意すればよい。従って、専用のデータベース等を用いることなく、任意の音声データを利用できる。
【００４１】
そして、再生方法ファイル１２と音声ファイル２３とが一つのディスク型記録媒体１１に記録されている場合、車載オーディオ装置１０は、このディスク型記録媒体１１から再生方法ファイル１２と音声ファイル２３とを読み出して上記動作を実行する。このため、ユーザは、一つのディスク型記録媒体１１を車載オーディオ装置１０にセットするだけで、所望の位置において所望の音楽を再生させることができる。
【００４２】
なお、上記第１の実施の形態においては、再生方法ファイル１２をテキストファイルとして説明したが、本発明はこれに限定されるものではなく、車両の位置を特定する情報と、再生すべき音声ファイル２３を特定する情報とが対応づけるものであれば、ファイル形式等は特に限定されない。例えば、再生方法ファイル１２のファイル形式を独自の形式としても、その形式で再生方法ファイル１２を編集できるように、パーソナルコンピュータ用のソフトウェアを用いれば、同様の効果が得られる。
【００４３】
また、上記第１の実施の形態においては、再生方法指定データ１２１により、一つの音声ファイル２３のみが指定される構成について説明したが、本発明はこれに限定されるものではなく、再生方法指定データ１２１によって２以上の音声ファイル２３を指定することも可能である。例えば、再生方法指定データ１２１のファイル指定部１２７（図３（ｂ））において２以上の音声ファイル２３のパスおよびファイル名を、カンマ区切り等により列記するようにしてもよい。この場合、システム制御部１０１は、図４のステップＳ２２において、再生方法指定データ１２１により指定される複数の音声ファイル２３を、ファイル指定部１２７における記載順またはファイル名順等の順序に従って、ディスク型記録媒体１１から順次読み出して再生する動作を行えばよい。
【００４４】
さらに、上記第１の実施の形態において、ディスク型記録媒体１１に、再生方法ファイル１２と音声ファイル２３とが暗号化して記録され、車載オーディオ装置１０が、暗号化された再生方法ファイル１２と音声ファイル２３とを復号しながら再生するものとしてもよい。以下、この場合について第２の実施の形態として説明する。
【００４５】
［第２の実施の形態］
図５は、本発明を適用した第２の実施の形態に係る車載オーディオ装置１３の機能的構成を示すブロック図である。なお、本第２の実施の形態において、上記第１の実施の形態と同様に構成される部分については、同符号を付して説明を省略する。
【００４６】
図５に示す車載オーディオ装置１３は、上記第１の実施の形態に係る車載オーディオ装置１０と同様に構成され、さらに、入力部１１３を備えたものである。
入力部１１３は、車載オーディオ装置１３を操作するユーザ（運転者を含む）が入力操作を行う操作部であり、後述するように車載オーディオ装置１３が暗号化された再生方法ファイル１２ａおよび音声ファイル２３を復号するための復号コード（鍵情報）が入力される。なお、本第２の実施の形態において、ディスク型記録媒体１１に記録された１２ａおよび音声ファイル２３は、いずれも同じ復号コードに基づく演算処理により復号可能であるものとする。
【００４７】
図６には、車載オーディオ装置１３において使用される再生方法ファイル１２ａの構成を模式的に示す。
再生方法ファイル１２ａは、上記第１の実施の形態に係る再生方法ファイル１２（図３）と同様に複数行のテキストデータを含むテキストファイルである。再生方法ファイル１２ａの先頭の１行は冗長コード１２９となっており、２行目以降の各行が再生方法指定データ１２１となっている。冗長コード１２９は、暗号化された再生方法ファイル１２ａを復号した際に正しく復号されたか否かを検証するためのコードであり、所定の桁数の文字列から構成される。冗長コード１２９の文字列自体が意味を持つ必要はない。
システム制御部１０１は、暗号化されていない状態における冗長コード１２９の文字列を予め記憶しており、再生方法ファイル１２ａを復号して得られる冗長コード１２９の内容を予め記憶した文字列と対照することによって、復号の正否を検証できる。
【００４８】
本第２の実施の形態において、ディスク型記録媒体１１には、再生方法ファイル１２ａと音声ファイル２３とが各々暗号化された状態で記録される。これら再生方法ファイル１２ａおよび音声ファイル２３は、ディスク型記録媒体１１からファイル単位で読み出すことが可能であるが、各ファイルに含まれるデータを解析或いは実行するためには、復号する必要がある。
【００４９】
図７は、本第２の実施の形態に係る車載オーディオ装置１３の動作を示すフローチャートである。
車載オーディオ装置１３が有するシステム制御部１０１は、メディア駆動部１０２にディスク型記録媒体１１がセットされると（ステップＳ３１）、再生制御部１０３を制御することにより、ディスク型記録媒体１１に記録された全てのファイルの検出を行わせる（ステップＳ３２）。
【００５０】
ここで、システム制御部１０１は、入力部１１３（図５）からの復号コードの入力を受け付ける（ステップＳ３３）。そして、入力された復号コードに基づいて、再生方法ファイル一時記憶部１０８に記憶された再生方法ファイル１２ａを復号する復号処理を行い（ステップＳ３４）、復号後の再生方法ファイル１２ａにおける冗長コード１２９（図６）について検証を行って、復号が成功したか否かを判別する（ステップＳ３５）。
【００５１】
ここで、復号に失敗した場合（ステップＳ３５；Ｎｏ）、システム制御部１０１はステップＳ３３の動作に戻る。復号に失敗した場合とは、例えば入力部１１３から入力された復号コードが適切なものでない場合、すなわち、車載オーディオ装置１３を使用するユーザがディスク型記録媒体１１の使用許諾を受けていない場合である。
【００５２】
また、再生方法ファイル１２ａを正しく復号できた場合（ステップＳ３５；Ｙｅｓ）、システム制御部１０１は、上記第１の実施の形態で説明したステップＳ１６〜Ｓ２３と同様の動作を行う。すなわち、システム制御部１０１は、ユーザが再生モード取得部１１１を操作して入力した指示に基づいて位置情報利用モードの動作を行うか否かを判別し（ステップＳ３６）、位置情報利用モードの動作を行わない場合には（ステップＳ３７；Ｎｏ）、通常のファイル再生動作を開始し（ステップＳ３８）、この通常のファイル再生動作の開始後、再生対象の全ファイルの再生が終了したか終了したか否かを判別し（ステップＳ３９）、全ファイルの再生が終了した場合に（ステップＳ３９；Ｙｅｓ）、本処理を終了する。
【００５３】
また、位置情報利用モードの動作を行う場合（ステップＳ３７；Ｙｅｓ）、システム制御部１０１は、上記した通常のファイル再生動作を開始するとともに（ステップＳ４０）、所定の時間毎に位置情報検出部１１０から入力される位置情報を取得する（ステップＳ４１）。そして、システム制御部１０１は、取得した位置情報に基づいて、再生方法ファイル一時記憶部１０８に記憶された再生方法ファイル１２を再生方法ファイル解析部１０９により解析させる（ステップＳ４２）。
【００５４】
ここで、システム制御部１０１は、再生方法ファイル一時記憶部１０８に記憶された再生方法ファイル１２ａの中に、ステップＳ４１で取得した現在位置に該当する再生方法指定データ１２１を含む再生方法ファイル１２ａが有るか否かを判別し（ステップＳ４３）、該当する再生方法ファイル１２ａが無ければ（ステップＳ４３；Ｎｏ）、ステップＳ４０の動作に戻る。
【００５５】
また、現在位置に該当する再生方法指定データ１２１を含む再生方法ファイル１２ａがあった場合（ステップＳ４３；Ｙｅｓ）、システム制御部１０１は、その再生方法ファイル１２ａから現在位置に対応する再生方法指定データ１２１を抽出し、この再生方法指定データ１２１のファイル指定部１２７により指定される音声ファイル２３をディスク型記録媒体１１から読み出させ、ステップＳ３３で入力された復号コードに基づいて復号した上、再生させる（ステップＳ４４）。このステップＳ４４で、システム制御部１０１は、再生制御部１０３に対して再生する音声ファイル２３のパスおよびファイル名を指定し、再生制御部１０３は、指定されたパスおよびファイル名に基づいてメディア駆動部１０２およびファイル取得部１０４を制御して、該当する音声ファイル２３を読み出させ、ファイル取得部１０４により復号を行わせてから、音響情報取得部１０５に出力させる。音響情報取得部１０５は、ファイル取得部１０４から入力された音声ファイル２３を取得して音響情報再生部１０６に出力し、音響情報再生部１０６は音声を出力する。
【００５６】
その後、システム制御部１０１は、音声ファイル２３の再生が終了するまで待機し（ステップＳ４５）、再生が終了した場合にはステップＳ３６の動作に戻る。
【００５７】
また、再生モード取得部１１１または入力部１１３或いはその他の入力操作部（図示略）における操作により、ディスク型記録媒体１１の排出が指示された場合には、システム制御部１０１は全動作を終了してメディア駆動部１０２からディスク型記録媒体１１を排出させる。
【００５８】
以上のように、本発明を適用した第２の実施の形態に係る車載オーディオ装置１３によれば、上述した第１の実施の形態に係る車載オーディオ装置１０の構成に加え、復号コードを入力する入力部１１３を設け、ディスク型記録媒体１１から暗号化された再生方法ファイル１２ａおよび音声ファイル２３を読み出して、入力部１１３から入力される復号コードを用いて復号するので、正しい復号コードを所有するユーザ、すなわち正規のユーザのみが、再生方法ファイル１２ａの再生方法指定データ１２１により指定される位置において音声ファイル２３を再生させることが可能となる。これにより、特定のユーザに対してのみ音声ファイル２３の聴取を許諾することが可能となるので、ディスク型記録媒体１１を市場流通させる際の自由度を高めることができる。
また、予め、車載オーディオ装置１３に固有の復号コードが用意され、この復号コードで復号可能なように、ユーザが自身で再生方法ファイル１２ａおよび音声ファイル２３を作成して暗号化し、ディスク型記録媒体１１に記録することが可能である。この場合、ユーザは、自分と、自分以外の特定のユーザのみが利用できるようにディスク型記録媒体１１を作成することができるので、無関係な第三者による利用を心配することなく、ディスク型記録媒体１１を作成して楽しむことができる。
【００５９】
なお、上記第２の実施の形態においては、再生方法ファイル１２ａや音声ファイル２３を復号するための復号コードが、入力部１１３の操作によって入力されるものとしたが、本発明はこれに限定されるものではなく、例えば、ディスク型記録媒体１１とは別の可搬型記録媒体に復号コードを記憶させておき、この可搬型記録媒体に記録された情報を車載オーディオ装置１３において読み取って、復号を行う構成としてもよい。或いは、車載オーディオ装置１３を通信回線（図示略）に接続し、この通信回線を介して、車載オーディオ装置１３が他の装置（図示略）から復号コードを受信する構成としてもよい。この場合、車載オーディオ装置１３を操作するユーザが復号コードを入力する手間を省くことができる。また、上記第２の実施の形態においてはディスク型記録媒体１１に記録された再生方法ファイル１２ａと音声ファイル２３とを同一の復号コードに基づいて復号できる場合について説明したが、再生方法ファイル１２ａと音声ファイル２３とを別の復号コードにより復号するようにしてもよい。この場合、ステップＳ４４で音声ファイル２３を復号する際に、新たに入力部１１３により復号コードを入力するようユーザに通知して、音声ファイル２３用の復号コードが入力されるようにすればよい。
【００６０】
また、上記第２の実施の形態においては、ディスク型記録媒体１１に記録された再生方法ファイル１２ａおよび音声ファイル２３を、別途用意された復号コードにより復号するものとしたが、例えば、車両の位置を示す情報を復号コードとして利用することが可能である。すなわち、再生方法ファイル１２ａを、一つの再生方法指定データ１２１および冗長コード１２９のみを含む構成として、この再生方法ファイル１２ａと音声ファイル２３とが、いずれも、対応する特定の位置の緯度および経度を符号化して得られる復号コードにより復号可能に暗号化されてディスク型記録媒体１１に記録された構成とする。そして、車載オーディオ装置１３により、位置情報検出部１１０によって位置が検出される毎に、検出された位置の緯度および経度を符号化して復号コードを生成し、この復号コードを用いて、ディスク型記録媒体１１に記録された再生方法ファイル１２ａおよび音声ファイル２３の復号を試みる。ここで、その位置に対応する再生方法ファイル１２ａおよび音声ファイル２３が存在すれば、復号が成功し、その位置に対応する再生方法ファイル１２ａおよび音声ファイル２３が読み取り可能となって、音声ファイル２３が再生される。この場合、上記第２の実施の形態により得られる効果に加えて、車両が特定の位置にある場合にのみ音声ファイル２３の再生が可能となるので、興趣性に富む音声再生を行える。
【００６１】
さらに、上記第１および第２の実施の形態においては、ディスク型記録媒体１１に、音声ファイル２３とともに再生方法ファイル１２、１２ａが記録されるものとして説明したが、本発明はこれに限定されるものではなく、例えば、ディスク型記録媒体１１とは別の可搬型の記録媒体に再生方法ファイル１２、１２ａを記録しておくことも可能である。以下、この場合について第３の実施の形態として説明する。
【００６２】
［第３の実施の形態］
図８は、本発明を適用した第３の実施の形態に係る車載オーディオ装置１５の機能的構成を示すブロック図である。なお、本第３の実施の形態において、上記第１および第２の実施の形態と同様に構成される部分については、同符号を付して説明を省略する。
【００６３】
図８に示す車載オーディオ装置１５は、上記第１の実施の形態に係る車載オーディオ装置１０と同様に構成され、さらに、記録メディア読取部１１５を備えたものである。
記録メディア読取部１１５は、光学的、磁気的記録媒体若しくは半導体記憶素子（フラッシュメモリ等）を用いて構成される可搬型の記録媒体について、データを読み取ることが可能な装置であり、車載オーディオ装置１５の他の各部と同一筐体に内蔵され、或いは外部接続されるものである。なお、記録メディア読取部１１５により読み取り可能な記録媒体の種類について特に制限はないが、ここでは一例として、半導体記憶素子を内蔵したカード型記録媒体１６（可搬型記録媒体）を用いる場合について説明する。
カード型記録媒体１６には、再生方法ファイル１２（図３）が、記録メディア読取部１１５において読み取り可能な形態で記録される。
【００６４】
車載オーディオ装置１５は、図４のフローチャートに示した通り、第１の実施の形態に係る車載オーディオ装置１０と同様に動作する。しかしながら、車載オーディオ装置１５が有する再生方法ファイル取得部１０７は、再生方法ファイル１２が記録されたカード型記録媒体１６から、記録メディア読取部１１５によって読み取られた再生方法ファイル１２を取得することが可能である。
従って、車載オーディオ装置１５は、再生方法ファイル１２を取得する動作において、記録メディア読取部１１５にセットされたカード型記録媒体１６から再生方法ファイル１２を読み取り、この再生方法ファイル１２を、再生方法ファイル取得部１０７を介して再生方法ファイル一時記憶部１０８に記憶する。
【００６５】
これにより、ディスク型記録媒体１１に音声ファイル２３のみが記録されている場合であっても、カード型記録媒体１６を用いれば、車載オーディオ装置１５を搭載した車両の位置に応じて音声ファイル２３を再生することが可能になる。従って、例えば、市販の音楽ＣＤをメディア駆動部１０２にセットして、当該音楽ＣＤ中の特定の音楽を、上記車両が特定の位置に達した場合に再生するといった機能を実現できる。
【００６６】
なお、上記第３の実施の形態においては、車載オーディオ装置１５が備える記録メディア読取部１１５によってカード型記録媒体１６から再生方法ファイル１２を読み取るものとしたが、本発明はこれに限定されるものではなく、例えば、車載オーディオ装置１５を通信回線（図示略）に接続し、この通信回線を介して、車載オーディオ装置１５が他の装置（図示略）から再生方法ファイル１２を受信する構成としてもよい。この場合、再生方法ファイル１２をカード型記録媒体１６に記録する等の手間を省くことが可能となる上、例えば、ディスク型記録媒体１１を販売した事業者が、後から再生方法ファイル１２のみをユーザに届けることが可能になる。
【００６７】
このほか、上記第１から第３の実施の形態における細部構成等については、本発明の趣旨を損なうことのない範囲において任意に変更可能である。
【図面の簡単な説明】
【００６８】
【図１】本発明を適用した第１の実施の形態に係る車載オーディオ装置１０の機能的構成を示すブロック図である。
【図２】車載オーディオ装置１０のメディア駆動部１０２により駆動される記録メディア内のファイル構成を模式的に示す図である。
【図３】車載オーディオ装置１０により処理される再生方法ファイル１２の構成例を模式的に示す図であり、（ａ）は再生方法ファイル１２の構成を示し、（ｂ）は再生方法ファイル１２に含まれる再生方法指定データ１２１の構成を示す。
【図４】車載オーディオ装置１０の動作を示すフローチャートである。
【図５】本発明を適用した第２の実施の形態に係る車載オーディオ装置１３の機能的構成を示すブロック図である。
【図６】車載オーディオ装置１３により処理される再生方法ファイル１２ａの構成例を模式的に示す図である。
【図７】車載オーディオ装置１３の動作を示すフローチャートである。
【図８】本発明を適用した第３の実施の形態に係る車載オーディオ装置１５の機能的構成を示すブロック図である。
【符号の説明】
【００６９】
１０、１３、１５  車載オーディオ装置（車載データ再生装置）
１１  ディスク型記録媒体（記録媒体）
１２、１２ａ  再生方法ファイル
１６  カード型記録媒体（可搬型記録媒体）
２３  音声ファイル（マルチメディアファイル）
１０１  システム制御部
１０２  メディア駆動部
１０３  再生制御部
１０４  ファイル取得部
１０５  音響情報取得部
１０６  音響情報再生部
１０７  再生方法ファイル取得部（再生情報取得手段）
１０８  再生方法ファイル一時記憶部
１０９  再生方法ファイル解析部
１１０  位置情報検出部（位置検出手段）
１１１  再生モード取得部
１１３  入力部
１１５  記録メディア読取部
１２１  再生方法指定データ（再生情報）
【図１】
2006276334.tif 000003
【図２】
2006276334.tif 000004
【図３】
2006276334.tif 000005
【図４】
2006276334.tif 000006
【図５】
2006276334.tif 000007
【図６】
2006276334.tif 000008
【図７】
2006276334.tif 000009
【図８】
2006276334.tif 000010